(57)【要約】【課題】端末装置が作動不能となる可能性を低減しながら、通信品質又は通信速度等を高めることが可能な通信システムを提供すること。【解決手段】通信システム１００は、端末装置と通信網の一部を構成する網側通信システムとを含む。端末装置と網側通信システムとは複数の通信方式のうちの任意の１つを用いて通信可能に構成される。通信システムは、端末装置を作動させるための電力を供給するバッテリに蓄積されている電力量（バッテリ残量）を取得する（１０１）。通信システムは、バッテリ残量が第１の閾値よりも多い場合、複数の通信方式の１つを第１の選択通信方式として選択する。通信システムは、バッテリ残量が第１の閾値よりも少ない場合、消費電力量が第１の選択通信方式より少ない通信方式を選択する（１０２）。通信システムは端末装置と網側通信システムとが選択された通信方式を用いて通信を行う（１０３）。【選択図】図１０
2010166355.tif 000002
【特許請求の範囲】
【請求項１】
端末装置と通信網の一部を構成する網側通信システムとを含む通信システムであって、
前記端末装置と前記網側通信システムとが複数の通信方式のうちの任意の１つを用いて通信可能に構成されるとともに、
前記端末装置を作動させるための電力を供給するバッテリに蓄積されている電力量を表すバッテリ残量を取得するバッテリ残量取得手段と、
前記取得されたバッテリ残量が第１の閾値よりも多い場合、前記複数の通信方式のうちの１つを第１の選択通信方式として選択し、一方、当該取得されたバッテリ残量が当該第１の閾値よりも少ない場合、前記端末装置と前記網側通信システムとが通信を行うために当該端末装置が消費する電力量である消費電力量が当該第１の選択通信方式よりも少ない通信方式を前記複数の通信方式の中から第２の選択通信方式として選択する通信方式選択手段と、
前記端末装置と前記網側通信システムとが前記選択された通信方式を用いて通信を行う通信実行手段と、
を備える通信システム。
【請求項２】
請求項１に記載の通信システムであって、
前記複数の通信方式のそれぞれと、第１の優先度と、前記消費電力量が少なくなるほど高くなるように設定された第２の優先度と、を対応付けた情報を記憶する情報記憶手段を備えるとともに、
前記通信実行手段は、前記端末装置と前記網側通信システムとが前記選択された通信方式を用いて無線通信を行うように構成され、
前記通信方式選択手段は、
前記取得されたバッテリ残量が前記第１の閾値よりも多い場合、前記端末装置と前記網側通信システムとが通信可能な通信方式のうちの、前記記憶されている情報によって最も高い第１の優先度と対応付けられた通信方式を前記第１の選択通信方式として選択し、一方、当該取得されたバッテリ残量が当該第１の閾値よりも少ない場合、前記端末装置と前記網側通信システムとが通信可能な通信方式のうちの、前記記憶されている情報によって最も高い第２の優先度と対応付けられた通信方式を前記第２の選択通信方式として選択するように構成された通信システム。
【請求項３】
請求項１又は請求項２に記載の通信システムであって、
前記端末装置は、
前記バッテリ残量取得手段、前記情報記憶手段及び前記通信方式選択手段を備えるとともに、
前記網側通信システムとの通信の開始を要求する通信開始要求を当該網側通信システムへ送信する場合、前記通信方式選択手段により選択された通信方式を用いて当該通信開始要求を送信するように構成された通信システム。
【請求項４】
請求項３に記載の通信システムであって、
前記網側通信システムは、
前記複数の通信方式のそれぞれに対して、その通信方式を用いて前記端末装置と当該網側通信システムとが通信可能であるか否かを確認するための通信確認信号を送信する通信確認信号送信手段を備え、
前記端末装置は、
前記通信確認信号を受信するとともに、当該受信した通信確認信号に応答する応答信号を前記網側通信システムへ送信する応答信号送信手段と、
前記取得されたバッテリ残量が前記第１の閾値よりも少ない場合において、前記受信された通信確認信号が前記選択された通信方式以外の通信方式に対して送信された信号であるとき、前記応答信号送信手段による前記応答信号の送信を禁止する応答信号送信禁止手段と、を備え、
更に、前記網側通信システムは、
ある通信方式に対して送信した前記通信確認信号に応答する前記応答信号を前記端末装置から受信するとともに、当該端末装置との通信の開始を要求する通信開始要求を当該端末装置へ送信する場合、当該通信方式を用いて当該通信開始要求を送信するように構成された通信システム。
【請求項５】
請求項４に記載の通信システムであって、
前記網側通信システムは、
ある通信方式に対して送信した前記通信確認信号に応答する前記応答信号を受信した場合、前記通信確認信号送信手段による、当該通信方式以外の通信方式に対する前記通信確認信号の送信を禁止する通信確認信号送信禁止手段を備える通信システム。
【請求項６】
請求項１又は請求項２に記載の通信システムであって、
前記端末装置は、
前記バッテリ残量取得手段と、
前記取得されたバッテリ残量を前記網側通信システムへ送信するバッテリ残量送信手段と、
を備え、
前記網側通信システムは、前記バッテリ残量を受信するとともに、前記情報記憶手段及び前記通信方式選択手段を備え、
前記通信方式選択手段は、前記受信されたバッテリ残量に基づいて前記通信方式を選択するように構成され、
更に、前記網側通信システムは、前記端末装置との通信の開始を要求する通信開始要求を当該端末装置へ送信する場合、前記選択された通信方式を用いて当該通信開始要求を送信するように構成された通信システム。
【請求項７】
請求項６に記載の通信システムであって、
前記網側通信システムは、
前記複数の通信方式のそれぞれに対して、その通信方式を用いて前記端末装置と当該網側通信システムとが通信可能であるか否かを確認するための通信確認信号を送信する通信確認信号送信手段と、
前記受信されたバッテリ残量が前記第１の閾値よりも少ない場合、前記通信確認信号送信手段による、前記選択された通信方式以外の通信方式に対する前記通信確認信号の送信を禁止する通信確認信号送信禁止手段と、を備え、
前記端末装置は、
前記通信確認信号を受信するとともに、当該受信した通信確認信号に応答する応答信号を前記網側通信システムへ送信する応答信号送信手段を備えるとともに、
前記応答信号送信手段がある通信方式に対して送信された前記通信確認信号に応答する前記応答信号を前記網側通信システムへ送信した場合において、当該網側通信システムとの通信の開始を要求する通信開始要求を当該網側通信システムへ送信するとき、当該通信方式を用いて当該通信開始要求を送信するように構成された通信システム。
【請求項８】
請求項１乃至請求項７のいずれか一項に記載の通信システムであって、
前記端末装置は、
前記取得されたバッテリ残量が前記第１の閾値よりも少ない場合において、当該端末装置のユーザにより入力された情報であって、前記選択された通信方式以外の通信方式を用いる旨を指示する情報を受け付けた場合、前記バッテリ残量が不足している旨を当該ユーザに報知する報知手段を備える通信システム。
【請求項９】
請求項１乃至請求項８のいずれか一項に記載の通信システムであって、
前記情報記憶手段は、前記複数の通信方式のそれぞれと、前記端末装置と前記網側通信システムとの通信品質が高くなるほど高くなるように設定された前記第１の優先度と、前記第２の優先度と、を対応付けた情報を記憶するように構成された通信システム。
【請求項１０】
請求項１乃至請求項８のいずれか一項に記載の通信システムであって、
前記情報記憶手段は、前記複数の通信方式のそれぞれと、前記端末装置と前記網側通信システムとの通信速度が大きくなるほど高くなるように設定された前記第１の優先度と、前記第２の優先度と、を対応付けた情報を記憶するように構成された通信システム。
【請求項１１】
請求項１乃至請求項１０のいずれか一項に記載の通信システムであって、
前記網側通信システムは、前記端末装置と通信可能な基地局装置を複数含み、
前記通信方式選択手段は、
前記複数の基地局装置のうちの前記端末装置と通信可能な基地局装置がフェムトセルを構成している場合において、前記取得されたバッテリ残量が前記第１の閾値よりも少ない第２の閾値よりも多いとき、前記複数の通信方式のうちの１つを第１の選択通信方式として選択し、一方、当該取得されたバッテリ残量が当該第２の閾値よりも少ないとき、前記消費電力量が当該第１の選択通信方式よりも少ない通信方式を前記複数の通信方式の中から第２の選択通信方式として選択するように構成された通信システム。
【請求項１２】
請求項１乃至請求項１１のいずれか一項に記載の通信システムであって、
前記端末装置は、携帯電話装置である通信システム。
【請求項１３】
端末装置と通信網の一部を構成する網側通信システムとを含む通信システムに適用される通信方法であって、
前記通信システムは、前記端末装置と前記網側通信システムとが複数の通信方式のうちの任意の１つを用いて通信可能に構成され、
前記端末装置を作動させるための電力を供給するバッテリに蓄積されている電力量を表すバッテリ残量を取得するバッテリ残量取得工程と、
前記取得されたバッテリ残量が第１の閾値よりも多い場合、前記複数の通信方式のうちの１つを第１の選択通信方式として選択し、一方、当該取得されたバッテリ残量が当該第１の閾値よりも少ない場合、前記端末装置と前記網側通信システムとが通信を行うために当該端末装置が消費する電力量である消費電力量が当該第１の選択通信方式よりも少ない通信方式を前記複数の通信方式の中から第２の選択通信方式として選択する通信方式選択工程と、
前記端末装置と前記網側通信システムとが前記選択された通信方式を用いて通信を行う通信実行工程と、
を含む通信方法。
【請求項１４】
請求項１３に記載の通信方法であって、
前記通信実行工程は、前記端末装置と前記網側通信システムとが前記選択された通信方式を用いて無線通信を行うように構成され、
前記通信方式選択工程は、
前記取得されたバッテリ残量が前記第１の閾値よりも多い場合、前記端末装置と前記網側通信システムとが通信可能な通信方式のうちの、前記複数の通信方式のそれぞれと、第１の優先度と、前記消費電力量が少なくなるほど高くなるように設定された第２の優先度と、を対応付けた情報によって最も高い第１の優先度と対応付けられた通信方式を前記第１の選択通信方式として選択し、一方、当該取得されたバッテリ残量が当該第１の閾値よりも少ない場合、前記端末装置と前記網側通信システムとが通信可能な通信方式のうちの、当該情報によって最も高い第２の優先度と対応付けられた通信方式を前記第２の選択通信方式として選択するように構成された通信方法。
【請求項１５】
請求項１３又は請求項１４に記載の通信方法であって、
前記端末装置が、前記網側通信システムとの通信の開始を要求する通信開始要求を当該網側通信システムへ送信する場合、前記通信方式選択工程にて選択された通信方式を用いて当該通信開始要求を送信する端末側通信開始要求送信工程を含む通信方法。
【請求項１６】
請求項１５に記載の通信方法であって、
前記網側通信システムが、前記複数の通信方式のそれぞれに対して、その通信方式を用いて前記端末装置と当該網側通信システムとが通信可能であるか否かを確認するための通信確認信号を送信する通信確認信号送信工程と、
前記端末装置が、前記通信確認信号を受信するとともに、当該受信した通信確認信号に応答する応答信号を前記網側通信システムへ送信する応答信号送信工程と、
前記端末装置が、前記取得されたバッテリ残量が前記第１の閾値よりも少ない場合において、前記受信された通信確認信号が前記選択された通信方式以外の通信方式に対して送信された信号であるとき、前記応答信号送信工程にて前記応答信号が送信されることを禁止する応答信号送信禁止工程と、
前記網側通信システムが、ある通信方式に対して送信した前記通信確認信号に応答する前記応答信号を前記端末装置から受信するとともに、当該端末装置との通信の開始を要求する通信開始要求を当該端末装置へ送信する場合、当該通信方式を用いて当該通信開始要求を送信する網側通信開始要求送信工程と、
を含む通信方法。
【請求項１７】
通信網の一部を構成する網側通信システムと複数の通信方式のうちの任意の１つを用いて通信可能に構成された端末装置であって、
前記端末装置を作動させるための電力を供給するバッテリに蓄積されている電力量を表すバッテリ残量を取得するバッテリ残量取得手段と、
前記取得されたバッテリ残量が第１の閾値よりも多い場合、前記複数の通信方式のうちの１つを第１の選択通信方式として選択し、一方、当該取得されたバッテリ残量が当該第１の閾値よりも少ない場合、前記端末装置と前記網側通信システムとが通信を行うために当該端末装置が消費する電力量である消費電力量が当該第１の選択通信方式よりも少ない通信方式を前記複数の通信方式の中から第２の選択通信方式として選択する通信方式選択手段と、
前記選択された通信方式を用いて前記網側通信システムと通信を行う通信実行手段と、
を備える端末装置。
【請求項１８】
請求項１７に記載の端末装置であって、
前記複数の通信方式のそれぞれと、第１の優先度と、前記消費電力量が少なくなるほど高くなるように設定された第２の優先度と、を対応付けた情報を記憶する情報記憶手段を備えるとともに、
前記通信実行手段は、前記選択された通信方式を用いて前記網側通信システムと無線通信を行うように構成され、
前記通信方式選択手段は、
前記取得されたバッテリ残量が前記第１の閾値よりも多い場合、前記網側通信システムと通信可能な通信方式のうちの、前記記憶されている情報によって最も高い第１の優先度と対応付けられた通信方式を前記第１の選択通信方式として選択し、一方、当該取得されたバッテリ残量が当該第１の閾値よりも少ない場合、前記網側通信システムと通信可能な通信方式のうちの、前記記憶されている情報によって最も高い第２の優先度と対応付けられた通信方式を前記第２の選択通信方式として選択するように構成された端末装置。
【請求項１９】
請求項１７又は請求項１８に記載の端末装置であって、
前記網側通信システムとの通信の開始を要求する通信開始要求を当該網側通信システムへ送信する場合、前記通信方式選択手段により選択された通信方式を用いて当該通信開始要求を送信するように構成された端末装置。
【請求項２０】
請求項１９に記載の端末装置であって、
前記複数の通信方式のそれぞれに対して、その通信方式を用いて前記端末装置と前記網側通信システムとが通信可能であるか否かを確認するために当該網側通信システムにより送信された通信確認信号を受信するとともに、当該受信した通信確認信号に応答する応答信号を当該網側通信システムへ送信する応答信号送信手段と、
前記取得されたバッテリ残量が前記第１の閾値よりも少ない場合において、前記受信された通信確認信号が前記選択された通信方式以外の通信方式に対して送信された信号であるとき、前記応答信号送信手段による前記応答信号の送信を禁止する応答信号送信禁止手段と、
を備える端末装置。
【請求項２１】
通信網の一部を構成する網側通信システムと複数の通信方式のうちの任意の１つを用いて通信可能に構成された端末装置に、
前記端末装置を作動させるための電力を供給するバッテリに蓄積されている電力量を表すバッテリ残量を取得するバッテリ残量取得手段と、
前記取得されたバッテリ残量が第１の閾値よりも多い場合、前記複数の通信方式のうちの１つを第１の選択通信方式として選択し、一方、当該取得されたバッテリ残量が当該第１の閾値よりも少ない場合、前記端末装置と前記網側通信システムとが通信を行うために当該端末装置が消費する電力量である消費電力量が当該第１の選択通信方式よりも少ない通信方式を前記複数の通信方式の中から第２の選択通信方式として選択する通信方式選択手段と、
前記選択された通信方式を用いて前記網側通信システムと通信を行う通信実行手段と、
を実現させるためのプログラム。
【請求項２２】
請求項２１に記載のプログラムであって、
前記通信実行手段は、前記選択された通信方式を用いて前記網側通信システムと無線通信を行うように構成され、
前記通信方式選択手段は、
前記取得されたバッテリ残量が前記第１の閾値よりも多い場合、前記網側通信システムと通信可能な通信方式のうちの、前記複数の通信方式のそれぞれと、第１の優先度と、前記消費電力量が少なくなるほど高くなるように設定された第２の優先度と、を対応付けた情報によって最も高い第１の優先度と対応付けられた通信方式を前記第１の選択通信方式として選択し、一方、当該取得されたバッテリ残量が当該第１の閾値よりも少ない場合、前記網側通信システムと通信可能な通信方式のうちの、当該情報によって最も高い第２の優先度と対応付けられた通信方式を前記第２の選択通信方式として選択するように構成されたプログラム。
【請求項２３】
請求項２１又は請求項２２に記載のプログラムであって、
更に、前記端末装置に、
前記網側通信システムとの通信の開始を要求する通信開始要求を当該網側通信システムへ送信する場合、前記通信方式選択手段により選択された通信方式を用いて当該通信開始要求を送信させるためのプログラム。
【請求項２４】
請求項２３に記載のプログラムであって、
更に、前記端末装置に、
前記複数の通信方式のそれぞれに対して、その通信方式を用いて前記端末装置と前記網側通信システムとが通信可能であるか否かを確認するために当該網側通信システムにより送信された通信確認信号を受信するとともに、当該受信した通信確認信号に応答する応答信号を当該網側通信システムへ送信する応答信号送信手段と、
前記取得されたバッテリ残量が前記第１の閾値よりも少ない場合において、前記受信された通信確認信号が前記選択された通信方式以外の通信方式に対して送信された信号であるとき、前記応答信号送信手段による前記応答信号の送信を禁止する応答信号送信禁止手段と、
を実現させるためのプログラム。
【請求項２５】
通信網に接続されるとともに複数の通信方式のうちの任意の１つを用いて端末装置と通信可能に構成された網側通信システムであって、
前記複数の通信方式のそれぞれに対して、その通信方式を用いて前記端末装置と当該網側通信システムとが通信可能であるか否かを確認するための通信確認信号を送信する通信確認信号送信手段と、
ある通信方式に対して送信した前記通信確認信号に応答する応答信号を前記端末装置から受信するとともに、当該端末装置との通信の開始を要求する通信開始要求を当該端末装置へ送信する場合、当該通信方式を用いて当該通信開始要求を送信する網側通信開始要求送信手段と、
を備える網側通信システム。
【請求項２６】
通信網に接続されるとともに複数の通信方式のうちの任意の１つを用いて端末装置と通信可能に構成された網側通信システムに、
前記複数の通信方式のそれぞれに対して、その通信方式を用いて前記端末装置と通信可能であるか否かを確認するための通信確認信号を送信する通信確認信号送信手段と、
ある通信方式に対して送信した前記通信確認信号に応答する応答信号を前記端末装置から受信するとともに、当該端末装置との通信の開始を要求する通信開始要求を当該端末装置へ送信する場合、当該通信方式を用いて当該通信開始要求を送信する網側通信開始要求送信手段と、
を実現させるためのプログラム。
【発明の詳細な説明】
【技術分野】
【０００１】
本発明は、端末装置と、端末装置と通信を行う網側通信システムと、を含む通信システムに関する。
【背景技術】
【０００２】
端末装置と、通信網の一部を構成する網側通信システムと、を含む通信システムが知られている。
この種の通信システムの一つとして、特許文献１に記載の通信システムは、端末装置と網側通信システムとが複数の通信方式のうちの任意の１つを用いて通信可能に構成される。
【０００３】
更に、この通信システムは、端末装置と網側通信システムとが通信可能な通信方式の中から、通信品質をより高くする通信方式を優先して選択し、選択した通信方式を用いて端末装置と網側通信システムとが通信を行うように構成されている。ここで、通信品質は、通信速度を所定値以上に維持できる確率が高くなるほど高くなる。この通信システムによれば、通信品質を高めることができる。
【先行技術文献】
【特許文献】
【０００４】
【特許文献１】特開２００２−１９０７６９号公報
【発明の概要】
【発明が解決しようとする課題】
【０００５】
ところで、上記通信システムにおいて、端末装置を作動させるための電力を供給するバッテリに蓄積されている電力量を表すバッテリ残量が過少となった場合、端末装置が作動不能となる（端末装置を作動させることができなくなる）虞があった。
【０００６】
このため、本発明の目的は、上述した課題である「通信品質又は通信速度等を高めるとともに、端末装置が作動不能となる可能性を低減することができないこと」を解決することが可能な通信システムを提供することにある。
【課題を解決するための手段】
【０００７】
かかる目的を達成するため本発明の一形態である通信システムは、端末装置と通信網の一部を構成する網側通信システムとを含むシステムである。
【０００８】
更に、この通信システムは、
上記端末装置と上記網側通信システムとが複数の通信方式のうちの任意の１つを用いて通信可能に構成されるとともに、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記端末装置と上記網側通信システムとが上記選択された通信方式を用いて通信を行う通信実行手段と、
を備える。
【０００９】
また、本発明の他の形態である通信方法は、端末装置と通信網の一部を構成する網側通信システムとを含む通信システムに適用される方法である。
【００１０】
更に、上記通信システムは、上記端末装置と上記網側通信システムとが複数の通信方式のうちの任意の１つを用いて通信可能に構成される。
加えて、上記通信方法は、
上記端末装置を作動させるための電力を供給するバッテリに蓄積されている電力量を表すバッテリ残量を取得するバッテリ残量取得工程と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択工程と、
上記端末装置と上記網側通信システムとが上記選択された通信方式を用いて通信を行う通信実行工程と、
を含む。
【００１１】
また、本発明の他の形態である端末装置は、通信網の一部を構成する網側通信システムと複数の通信方式のうちの任意の１つを用いて通信可能に構成された装置である。
【００１２】
更に、この端末装置は、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記選択された通信方式を用いて上記網側通信システムと通信を行う通信実行手段と、
を備える。
【００１３】
また、本発明の他の形態であるプログラムは、
通信網の一部を構成する網側通信システムと複数の通信方式のうちの任意の１つを用いて通信可能に構成された端末装置に、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記選択された通信方式を用いて上記網側通信システムと通信を行う通信実行手段と、
を実現させるためのプログラムである。
【００１４】
また、本発明の他の形態である網側通信システムは、通信網に接続されるとともに複数の通信方式のうちの任意の１つを用いて端末装置と通信可能に構成されたシステムである。
【００１５】
更に、この網側通信システムは、
上記複数の通信方式のそれぞれに対して、その通信方式を用いて上記端末装置と当該網側通信システムとが通信可能であるか否かを確認するための通信確認信号を送信する通信確認信号送信手段と、
ある通信方式に対して送信した上記通信確認信号に応答する応答信号を上記端末装置から受信するとともに、当該端末装置との通信の開始を要求する通信開始要求を当該端末装置へ送信する場合、当該通信方式を用いて当該通信開始要求を送信する網側通信開始要求送信手段と、
を備える。
【００１６】
また、本発明の他の形態であるプログラムは、
通信網に接続されるとともに複数の通信方式のうちの任意の１つを用いて端末装置と通信可能に構成された網側通信システムに、
上記複数の通信方式のそれぞれに対して、その通信方式を用いて上記端末装置と通信可能であるか否かを確認するための通信確認信号を送信する通信確認信号送信手段と、
ある通信方式に対して送信した上記通信確認信号に応答する応答信号を上記端末装置から受信するとともに、当該端末装置との通信の開始を要求する通信開始要求を当該端末装置へ送信する場合、当該通信方式を用いて当該通信開始要求を送信する網側通信開始要求送信手段と、
を実現させるためのプログラムである。
【発明の効果】
【００１７】
本発明は、以上のように構成されることにより、端末装置が作動不能となる可能性を低減しながら、通信品質又は通信速度等を高めることができる。
【図面の簡単な説明】
【００１８】
【図１】本発明の第１実施形態に係る通信システムの概略構成を表す図である。
【図２】通信方式識別子と第１の運用優先度とからなる第１の運用優先度情報を複数含むテーブルを示した図である。
【図３】各無線通信方式と、消費電力量、通信速度、及び、通信品質と、が有する関係を示したテーブルを示した図である。
【図４】端末識別子と基地局識別子とからなる端末状態情報を複数含むテーブルを示した図である。
【図５】本発明の第１実施形態に係る端末装置の概略構成を表す図である。
【図６】通信方式識別子と第２の運用優先度とからなる第２の運用優先度情報を複数含むテーブルを示した図である。
【図７】本発明の第１実施形態に係る端末装置の制御部が実行する応答信号送信プログラムを示したフローチャートである。
【図８】本発明の第１実施形態に係る端末装置の制御部が実行する通信開始要求送信プログラムを示したフローチャートである。
【図９】端末識別子と基地局識別子と種別情報とからなる端末状態情報を複数含むテーブルを示した図である。
【図１０】本発明の実施形態の変形例に係る通信システムの概略構成を表す図である。
【発明を実施するための形態】
【００１９】
本発明の一形態である通信システムは、端末装置と通信網の一部を構成する網側通信システムとを含むシステムである。
【００２０】
更に、この通信システムは、
上記端末装置と上記網側通信システムとが複数の通信方式のうちの任意の１つを用いて通信可能に構成されるとともに、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記端末装置と上記網側通信システムとが上記選択された通信方式を用いて通信を行う通信実行手段と、
を備える。
【００２１】
これによれば、バッテリ残量が十分に多い場合に、例えば、通信品質又は通信速度がより高い通信方式を用いるとともに、バッテリ残量が比較的少ない場合に、消費電力量が比較的少ない通信方式を用いることができる。ここで、通信品質は、通信速度を所定値以上に維持できる確率が高くなるほど高くなる。これにより、バッテリ残量が比較的少ない場合に、消費電力量を低減することができるので、バッテリ残量が過度に少なくなる可能性を低減することができる。この結果、端末装置が作動不能となる可能性を低減することができる。
【００２２】
このように、上記構成によれば、端末装置が作動不能となる可能性を低減しながら、通信品質又は通信速度等を高めることができる。
【００２３】
この場合、上記通信システムは、
上記複数の通信方式のそれぞれと、第１の優先度と、上記消費電力量が少なくなるほど高くなるように設定された第２の優先度と、を対応付けた情報を記憶する情報記憶手段を備えるとともに、
上記通信実行手段は、上記端末装置と上記網側通信システムとが上記選択された通信方式を用いて無線通信を行うように構成され、
上記通信方式選択手段は、
上記取得されたバッテリ残量が上記第１の閾値よりも多い場合、上記端末装置と上記網側通信システムとが通信可能な通信方式のうちの、上記記憶されている情報によって最も高い第１の優先度と対応付けられた通信方式を上記第１の選択通信方式として選択し、一方、当該取得されたバッテリ残量が当該第１の閾値よりも少ない場合、上記端末装置と上記網側通信システムとが通信可能な通信方式のうちの、上記記憶されている情報によって最も高い第２の優先度と対応付けられた通信方式を上記第２の選択通信方式として選択するように構成されることが好適である。
【００２４】
これによれば、端末装置と網側通信システムとが確実に通信を行うことができる。
【００２５】
この場合、上記端末装置は、
上記バッテリ残量取得手段、上記情報記憶手段及び上記通信方式選択手段を備えるとともに、
上記網側通信システムとの通信の開始を要求する通信開始要求を当該網側通信システムへ送信する場合、上記通信方式選択手段により選択された通信方式を用いて当該通信開始要求を送信するように構成されることが好適である。
【００２６】
これによれば、端末装置が通信開始要求を網側通信システムへ送信する場合において、選択された通信方式以外の通信方式を用いて通信が行われることを防止することができる。この結果、選択された通信方式以外の通信方式が用いられる場合よりも、端末装置が作動不能となる可能性を低減することができる。
【００２７】
この場合、上記網側通信システムは、
上記複数の通信方式のそれぞれに対して、その通信方式を用いて上記端末装置と当該網側通信システムとが通信可能であるか否かを確認するための通信確認信号を送信する通信確認信号送信手段を備え、
上記端末装置は、
上記通信確認信号を受信するとともに、当該受信した通信確認信号に応答する応答信号を上記網側通信システムへ送信する応答信号送信手段と、
上記取得されたバッテリ残量が上記第１の閾値よりも少ない場合において、上記受信された通信確認信号が上記選択された通信方式以外の通信方式に対して送信された信号であるとき、上記応答信号送信手段による上記応答信号の送信を禁止する応答信号送信禁止手段と、を備え、
更に、上記網側通信システムは、
ある通信方式に対して送信した上記通信確認信号に応答する上記応答信号を上記端末装置から受信するとともに、当該端末装置との通信の開始を要求する通信開始要求を当該端末装置へ送信する場合、当該通信方式を用いて当該通信開始要求を送信するように構成されることが好適である。
【００２８】
これによれば、網側通信システムが通信開始要求を端末装置へ送信する場合においても、選択された通信方式以外の通信方式を用いて通信が行われることを防止することができる。この結果、選択された通信方式以外の通信方式が用いられる場合よりも、端末装置が作動不能となる可能性を低減することができる。
【００２９】
更に、上記構成によれば、バッテリ残量が前記第１の閾値よりも少ない場合、端末装置は、選択された通信方式以外の通信方式に対して送信された通信確認信号に応答する応答信号を送信しない。従って、端末装置がこの応答信号を送信するために電力が消費されることを回避することができる。この結果、端末装置が作動不能となる可能性をより一層低減することができる。
【００３０】
この場合、上記網側通信システムは、
ある通信方式に対して送信した上記通信確認信号に応答する上記応答信号を受信した場合、上記通信確認信号送信手段による、当該通信方式以外の通信方式に対する上記通信確認信号の送信を禁止する通信確認信号送信禁止手段を備えることが好適である。
【００３１】
これによれば、無駄に通信確認信号が送信されることを防止することができる。
【００３２】
また、上記通信システムの他の態様において、
上記端末装置は、
上記バッテリ残量取得手段と、
上記取得されたバッテリ残量を上記網側通信システムへ送信するバッテリ残量送信手段と、
を備え、
上記網側通信システムは、上記バッテリ残量を受信するとともに、上記情報記憶手段及び上記通信方式選択手段を備え、
上記通信方式選択手段は、上記受信されたバッテリ残量に基づいて上記通信方式を選択するように構成され、
更に、上記網側通信システムは、上記端末装置との通信の開始を要求する通信開始要求を当該端末装置へ送信する場合、上記選択された通信方式を用いて当該通信開始要求を送信するように構成されることが好適である。
【００３３】
これによれば、網側通信システムが通信開始要求を端末装置へ送信する場合において、選択された通信方式以外の通信方式を用いて通信が行われることを防止することができる。この結果、選択された通信方式以外の通信方式が用いられる場合よりも、端末装置が作動不能となる可能性を低減することができる。
【００３４】
この場合、上記網側通信システムは、
上記複数の通信方式のそれぞれに対して、その通信方式を用いて上記端末装置と当該網側通信システムとが通信可能であるか否かを確認するための通信確認信号を送信する通信確認信号送信手段と、
上記受信されたバッテリ残量が上記第１の閾値よりも少ない場合、上記通信確認信号送信手段による、上記選択された通信方式以外の通信方式に対する上記通信確認信号の送信を禁止する通信確認信号送信禁止手段と、を備え、
上記端末装置は、
上記通信確認信号を受信するとともに、当該受信した通信確認信号に応答する応答信号を上記網側通信システムへ送信する応答信号送信手段を備えるとともに、
上記応答信号送信手段がある通信方式に対して送信された上記通信確認信号に応答する上記応答信号を上記網側通信システムへ送信した場合において、当該網側通信システムとの通信の開始を要求する通信開始要求を当該網側通信システムへ送信するとき、当該通信方式を用いて当該通信開始要求を送信するように構成されることが好適である。
【００３５】
これによれば、端末装置が通信開始要求を網側通信システムへ送信する場合においても、選択された通信方式以外の通信方式を用いて通信が行われることを防止することができる。この結果、選択された通信方式以外の通信方式が用いられる場合よりも、端末装置が作動不能となる可能性を低減することができる。
【００３６】
更に、上記構成によれば、バッテリ残量が第１の閾値よりも少ない場合、網側通信システムは、選択された通信方式以外の通信方式に対して通信確認信号を送信しない。従って、端末装置が、選択された通信方式以外の通信方式に対して送信された通信確認信号に応答する応答信号を送信するために電力が消費されることを回避することができる。この結果、端末装置が作動不能となる可能性をより一層低減することができる。
【００３７】
この場合、上記端末装置は、
上記取得されたバッテリ残量が上記第１の閾値よりも少ない場合において、当該端末装置のユーザにより入力された情報であって、上記選択された通信方式以外の通信方式を用いる旨を指示する情報を受け付けた場合、上記バッテリ残量が不足している旨を当該ユーザに報知する報知手段を備えることが好適である。
【００３８】
これによれば、バッテリ残量が不足していることをユーザに認識させることができる。
【００３９】
この場合、上記情報記憶手段は、上記複数の通信方式のそれぞれと、上記端末装置と上記網側通信システムとの通信品質が高くなるほど高くなるように設定された上記第１の優先度と、上記第２の優先度と、を対応付けた情報を記憶するように構成されることが好適である。
【００４０】
また、上記通信システムの他の態様において、
上記情報記憶手段は、上記複数の通信方式のそれぞれと、上記端末装置と上記網側通信システムとの通信速度が大きくなるほど高くなるように設定された上記第１の優先度と、上記第２の優先度と、を対応付けた情報を記憶するように構成されることが好適である。
【００４１】
この場合、
上記網側通信システムは、上記端末装置と通信可能な基地局装置を複数含み、
上記通信方式選択手段は、
上記複数の基地局装置のうちの上記端末装置と通信可能な基地局装置がフェムトセルを構成している場合において、上記取得されたバッテリ残量が上記第１の閾値よりも少ない第２の閾値よりも多いとき、上記複数の通信方式のうちの１つを第１の選択通信方式として選択し、一方、当該取得されたバッテリ残量が当該第２の閾値よりも少ないとき、上記消費電力量が当該第１の選択通信方式よりも少ない通信方式を上記複数の通信方式の中から第２の選択通信方式として選択するように構成されることが好適である。
【００４２】
ところで、端末装置と通信可能な基地局装置がフェムトセルを構成している場合、端末装置が屋内に位置している可能性が比較的高い。従って、この場合、バッテリに容易に充電できる可能性が比較的高い。即ち、端末装置が作動不能となる可能性が相対的に低い。
【００４３】
そこで、上記のように通信システムを構成することにより、端末装置が作動不能となる可能性を十分に低くしながら、通信品質又は通信速度等をより一層高めることができる。
【００４４】
この場合、上記端末装置は、携帯電話装置であることが好適である。
【００４５】
また、本発明の他の形態である通信方法は、
端末装置と通信網の一部を構成する網側通信システムとを含む通信システムに適用される方法である。
【００４６】
更に、上記通信システムは、上記端末装置と上記網側通信システムとが複数の通信方式のうちの任意の１つを用いて通信可能に構成され、
上記端末装置を作動させるための電力を供給するバッテリに蓄積されている電力量を表すバッテリ残量を取得するバッテリ残量取得工程と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択工程と、
上記端末装置と上記網側通信システムとが上記選択された通信方式を用いて通信を行う通信実行工程と、
を含む。
【００４７】
この場合、
上記通信実行工程は、上記端末装置と上記網側通信システムとが上記選択された通信方式を用いて無線通信を行うように構成され、
上記通信方式選択工程は、
上記取得されたバッテリ残量が上記第１の閾値よりも多い場合、上記端末装置と上記網側通信システムとが通信可能な通信方式のうちの、上記複数の通信方式のそれぞれと、第１の優先度と、上記消費電力量が少なくなるほど高くなるように設定された第２の優先度と、を対応付けた情報によって最も高い第１の優先度と対応付けられた通信方式を上記第１の選択通信方式として選択し、一方、当該取得されたバッテリ残量が当該第１の閾値よりも少ない場合、上記端末装置と上記網側通信システムとが通信可能な通信方式のうちの、当該情報によって最も高い第２の優先度と対応付けられた通信方式を上記第２の選択通信方式として選択するように構成されることが好適である。
【００４８】
この場合、上記通信方法は、
上記端末装置が、上記網側通信システムとの通信の開始を要求する通信開始要求を当該網側通信システムへ送信する場合、上記通信方式選択工程にて選択された通信方式を用いて当該通信開始要求を送信する端末側通信開始要求送信工程を含むことが好適である。
【００４９】
この場合、上記通信方法は、
上記網側通信システムが、上記複数の通信方式のそれぞれに対して、その通信方式を用いて上記端末装置と当該網側通信システムとが通信可能であるか否かを確認するための通信確認信号を送信する通信確認信号送信工程と、
上記端末装置が、上記通信確認信号を受信するとともに、当該受信した通信確認信号に応答する応答信号を上記網側通信システムへ送信する応答信号送信工程と、
上記端末装置が、上記取得されたバッテリ残量が上記第１の閾値よりも少ない場合において、上記受信された通信確認信号が上記選択された通信方式以外の通信方式に対して送信された信号であるとき、上記応答信号送信工程にて上記応答信号が送信されることを禁止する応答信号送信禁止工程と、
上記網側通信システムが、ある通信方式に対して送信した上記通信確認信号に応答する上記応答信号を上記端末装置から受信するとともに、当該端末装置との通信の開始を要求する通信開始要求を当該端末装置へ送信する場合、当該通信方式を用いて当該通信開始要求を送信する網側通信開始要求送信工程と、
を含むことが好適である。
【００５０】
また、本発明の他の形態である端末装置は、通信網の一部を構成する網側通信システムと複数の通信方式のうちの任意の１つを用いて通信可能に構成された装置である。
【００５１】
更に、この端末装置は、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記選択された通信方式を用いて上記網側通信システムと通信を行う通信実行手段と、
を備える。
【００５２】
この場合、上記端末装置は、
上記複数の通信方式のそれぞれと、第１の優先度と、上記消費電力量が少なくなるほど高くなるように設定された第２の優先度と、を対応付けた情報を記憶する情報記憶手段を備えるとともに、
上記通信実行手段は、上記選択された通信方式を用いて上記網側通信システムと無線通信を行うように構成され、
上記通信方式選択手段は、
上記取得されたバッテリ残量が上記第１の閾値よりも多い場合、上記網側通信システムと通信可能な通信方式のうちの、上記記憶されている情報によって最も高い第１の優先度と対応付けられた通信方式を上記第１の選択通信方式として選択し、一方、当該取得されたバッテリ残量が当該第１の閾値よりも少ない場合、上記網側通信システムと通信可能な通信方式のうちの、上記記憶されている情報によって最も高い第２の優先度と対応付けられた通信方式を上記第２の選択通信方式として選択するように構成されることが好適である。
【００５３】
この場合、上記端末装置は、
上記網側通信システムとの通信の開始を要求する通信開始要求を当該網側通信システムへ送信する場合、上記通信方式選択手段により選択された通信方式を用いて当該通信開始要求を送信するように構成されることが好適である。
【００５４】
この場合、上記端末装置は、
上記複数の通信方式のそれぞれに対して、その通信方式を用いて上記端末装置と上記網側通信システムとが通信可能であるか否かを確認するために当該網側通信システムにより送信された通信確認信号を受信するとともに、当該受信した通信確認信号に応答する応答信号を当該網側通信システムへ送信する応答信号送信手段と、
上記取得されたバッテリ残量が上記第１の閾値よりも少ない場合において、上記受信された通信確認信号が上記選択された通信方式以外の通信方式に対して送信された信号であるとき、上記応答信号送信手段による上記応答信号の送信を禁止する応答信号送信禁止手段と、
を備えることが好適である。
【００５５】
また、本発明の他の形態であるプログラムは、
通信網の一部を構成する網側通信システムと複数の通信方式のうちの任意の１つを用いて通信可能に構成された端末装置に、
上記端末装置を作動させるための電力を供給するバッテリに蓄積されている電力量を表すバッテリ残量を取得するバッテリ残量取得手段と、
上記取得されたバッテリ残量が第１の閾値よりも多い場合、上記複数の通信方式のうちの１つを第１の選択通信方式として選択し、一方、当該取得されたバッテリ残量が当該第１の閾値よりも少ない場合、上記端末装置と上記網側通信システムとが通信を行うために当該端末装置が消費する電力量である消費電力量が当該第１の選択通信方式よりも少ない通信方式を上記複数の通信方式の中から第２の選択通信方式として選択する通信方式選択手段と、
上記選択された通信方式を用いて上記網側通信システムと通信を行う通信実行手段と、
を実現させるためのプログラムである。
【００５６】
この場合、
上記通信実行手段は、上記選択された通信方式を用いて上記網側通信システムと無線通信を行うように構成され、
上記通信方式選択手段は、
上記取得されたバッテリ残量が上記第１の閾値よりも多い場合、上記網側通信システムと通信可能な通信方式のうちの、上記複数の通信方式のそれぞれと、第１の優先度と、上記消費電力量が少なくなるほど高くなるように設定された第２の優先度と、を対応付けた情報によって最も高い第１の優先度と対応付けられた通信方式を上記第１の選択通信方式として選択し、一方、当該取得されたバッテリ残量が当該第１の閾値よりも少ない場合、上記網側通信システムと通信可能な通信方式のうちの、当該情報によって最も高い第２の優先度と対応付けられた通信方式を上記第２の選択通信方式として選択するように構成されることが好適である。
【００５７】
この場合、上記プログラムは、
更に、上記端末装置に、
上記網側通信システムとの通信の開始を要求する通信開始要求を当該網側通信システムへ送信する場合、上記通信方式選択手段により選択された通信方式を用いて当該通信開始要求を送信させるためのプログラム
【００５８】
この場合、上記プログラムは、
更に、上記端末装置に、
上記複数の通信方式のそれぞれに対して、その通信方式を用いて上記端末装置と上記網側通信システムとが通信可能であるか否かを確認するために当該網側通信システムにより送信された通信確認信号を受信するとともに、当該受信した通信確認信号に応答する応答信号を当該網側通信システムへ送信する応答信号送信手段と、
上記取得されたバッテリ残量が上記第１の閾値よりも少ない場合において、上記受信された通信確認信号が上記選択された通信方式以外の通信方式に対して送信された信号であるとき、上記応答信号送信手段による上記応答信号の送信を禁止する応答信号送信禁止手段と、
を実現させるためのプログラムであることが好適である。
【００５９】
また、本発明の他の形態である網側通信システムは、通信網に接続されるとともに複数の通信方式のうちの任意の１つを用いて端末装置と通信可能に構成されたシステムである。
【００６０】
更に、この網側通信システムは、
上記複数の通信方式のそれぞれに対して、その通信方式を用いて上記端末装置と当該網側通信システムとが通信可能であるか否かを確認するための通信確認信号を送信する通信確認信号送信手段と、
ある通信方式に対して送信した上記通信確認信号に応答する応答信号を上記端末装置から受信するとともに、当該端末装置との通信の開始を要求する通信開始要求を当該端末装置へ送信する場合、当該通信方式を用いて当該通信開始要求を送信する網側通信開始要求送信手段と、
を備える。
【００６１】
また、本発明の他の形態であるプログラムは、
通信網に接続されるとともに複数の通信方式のうちの任意の１つを用いて端末装置と通信可能に構成された網側通信システムに、
上記複数の通信方式のそれぞれに対して、その通信方式を用いて上記端末装置と通信可能であるか否かを確認するための通信確認信号を送信する通信確認信号送信手段と、
ある通信方式に対して送信した上記通信確認信号に応答する応答信号を上記端末装置から受信するとともに、当該端末装置との通信の開始を要求する通信開始要求を当該端末装置へ送信する場合、当該通信方式を用いて当該通信開始要求を送信する網側通信開始要求送信手段と、
を実現させるためのプログラムである。
【００６２】
上述した構成を有する、通信方法、端末装置、プログラム、又は、網側通信システム、の発明であっても、上記通信システムと同様の作用を有するために、上述した本発明の目的を達成することができる。
【００６３】
以下、本発明に係る、通信システム、通信方法、端末装置、プログラム、及び、網側通信システム、の各実施形態について図１〜図１０を参照しながら説明する。
【００６４】
＜第１実施形態＞
（構成）
図１に示したように、第１実施形態に係る通信システム１は、回線交換システム１１と、パケット交換システム２１と、ゲートウェイシステム３１と、端末装置（本例では、携帯電話装置）４０と、を含む。回線交換システム１１とパケット交換システム２１とは、ゲートウェイシステム３１を介して通信可能に接続されている。
【００６５】
回線交換システム１１には、複数の基地局装置１２ａ，１２ｂ，…と、第１の無線通信方式用サーバ装置１３と、他事業者回線交換システム１４と、が接続されている。
回線交換システム１１は、基地局装置１２ａ，１２ｂ，…間で、若しくは、各基地局装置１２ａ，１２ｂ，…と他事業者回線交換システム１４又はゲートウェイシステム３１との間で、回線交換方式を用いてデータを伝送するシステムである。
【００６６】
回線交換システム１１は、図示しない記憶装置（メモリ等）を備える。回線交換システム１１は、無線通信方式を識別するための通信方式識別子と、第１の運用優先度（第１の優先度）と、を対応付けた情報を記憶装置に記憶させている。
【００６７】
本例では、回線交換システム１１は、図２に示したように、通信方式識別子と第１の運用優先度とからなる第１の運用優先度情報を複数含むテーブルを記憶している。
【００６８】
本例では、通信方式識別子としての「Ｗ−ＣＤＭＡ」は、第１の無線通信方式としてのＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を表す。また、通信方式識別子としての「ＷＬＡＮ」は、第２の無線通信方式としてのＷＬＡＮ（Ｗｉｒｅｌｅｓｓ  Ｌｏｃａｌ  Ａｒｅａ  Ｎｅｔｗｏｒｋ）方式を表す。また、通信方式識別子としての「ＬＴＥ」は、第３の無線通信方式としてのＬＴＥ（Ｌｏｎｇ  Ｔｅｒｍ  Ｅｖｏｌｕｔｉｏｎ）方式を表す。
【００６９】
また、第１の運用優先度は、優先順位を表す整数であり、値が小さくなるほど優先度が高くなることを表す。
なお、本例では、各無線通信方式と、消費電力量、通信速度、及び、通信品質と、が、図３に示した関係を有している場合を想定する。
【００７０】
ここで、消費電力量は、端末装置４０と基地局装置とが通信を行うために端末装置４０が消費する電力量である。また、通信品質は、通信速度を所定値以上に維持できる確率が高くなるほど高くなる値である。
【００７１】
即ち、上述した第１の運用優先度は、通信品質が高くなるほど高くなるように、且つ、通信速度が大きくなるほど高くなるように、設定されている。
【００７２】
各基地局装置１２ａ，１２ｂ，…は、第１の無線通信方式（本例では、Ｗ−ＣＤＭＡ方式）を用いて、端末装置４０と通信可能に構成されている。
【００７３】
各基地局装置１２ａ，１２ｂ，…は、所定のタイミングにて（例えば、予め設定された周期が経過する毎に）、第１の無線通信方式を用いて端末装置４０と通信可能であるか否かを確認するための通信確認信号を送信する。
【００７４】
各基地局装置１２ａ，１２ｂ，…は、端末装置４０により送信された応答信号を受信する。応答信号は、各基地局装置１２ａ，１２ｂ，…が送信した通信確認信号に応答した信号である。
【００７５】
第１の無線通信方式用サーバ装置１３は、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。
【００７６】
第１の無線通信方式用サーバ装置１３は、記憶装置に記憶されているプログラムをＣＰＵが実行することにより、下記の機能を実現するように構成されている。
【００７７】
第１の無線通信方式用サーバ装置１３は、基地局装置１２ａ，１２ｂ，…が端末装置４０により送信された応答信号を受信した場合、その端末装置４０を識別するための端末識別子（例えば、電話番号を表す情報）と、その応答信号を受信した基地局装置１２ａ，１２ｂ，…を識別するための基地局識別子（例えば、基地局の所在地を含む情報）と、を対応付けた情報を記憶装置に記憶させる。
【００７８】
本例では、第１の無線通信方式用サーバ装置１３は、図４に示したように、端末識別子と基地局識別子とからなる端末状態情報を複数含むテーブルを記憶している。なお、基地局識別子は、応答信号がいずれの基地局装置１２ａ，１２ｂ，…によっても受信されなかった場合、「圏外」を表す情報に設定される。
【００７９】
また、パケット交換システム２１には、複数の基地局装置２２ａ，…と、第２の無線通信方式用サーバ装置２３と、複数の基地局装置２４ａ，…と、第３の無線通信方式用サーバ装置２５と、他事業者パケット交換システム２６と、が接続されている。
【００８０】
パケット交換システム２１は、基地局装置２２ａ，２４ａ，…間で、若しくは、各基地局装置２２ａ，２４ａ，…と他事業者パケット交換システム２６又はゲートウェイシステム３１との間で、パケット交換方式を用いてデータを伝送するシステムである。
【００８１】
パケット交換システム２１は、図示しない記憶装置（メモリ等）を備える。パケット交換システム２１は、図２に示した、回線交換システム１１の記憶装置に記憶されているテーブルと同一のテーブルを記憶装置に記憶させている。
【００８２】
各基地局装置２２ａ，…は、第２の無線通信方式（本例では、ＷＬＡＮ方式）を用いて、端末装置４０と通信可能に構成されている。
【００８３】
各基地局装置２２ａ，…は、所定のタイミングにて、第２の無線通信方式を用いて端末装置４０と通信可能であるか否かを確認するための通信確認信号を送信する。各基地局装置２２ａ，…は、端末装置４０により送信された応答信号を受信する。応答信号は、各基地局装置２２ａ，…が送信した通信確認信号に応答した信号である。
【００８４】
第２の無線通信方式用サーバ装置２３は、第１の無線通信方式用サーバ装置１３と同様の構成を有する。第２の無線通信方式用サーバ装置２３は、第１の無線通信方式用サーバ装置１３と同様に、基地局装置２２ａ，…が端末装置４０により送信された応答信号を受信した場合、その端末装置４０を識別するための端末識別子と、その応答信号を受信した基地局装置２２ａ，…を識別するための基地局識別子と、を対応付けた情報を記憶装置に記憶させる。
【００８５】
本例では、第２の無線通信方式用サーバ装置２３は、第１の無線通信方式用サーバ装置１３と同様に、端末識別子と基地局識別子とからなる端末状態情報を複数含むテーブルを記憶している。
【００８６】
また、各基地局装置２４ａ，…は、第３の無線通信方式（本例では、ＬＴＥ方式）を用いて、端末装置４０と通信可能に構成されている。
【００８７】
各基地局装置２４ａ，…は、所定のタイミングにて、第３の無線通信方式を用いて端末装置４０と通信可能であるか否かを確認するための通信確認信号を送信する。各基地局装置２４ａ，…は、端末装置４０により送信された応答信号を受信する。応答信号は、各基地局装置２４ａ，…が送信した通信確認信号に応答した信号である。
【００８８】
第３の無線通信方式用サーバ装置２５は、第１の無線通信方式用サーバ装置１３と同様の構成を有する。第３の無線通信方式用サーバ装置２５は、第１の無線通信方式用サーバ装置１３と同様に、基地局装置２４ａ，…が端末装置４０により送信された応答信号を受信した場合、その端末装置４０を識別するための端末識別子と、その応答信号を受信した基地局装置２４ａ，…を識別するための基地局識別子と、を対応付けた情報を記憶装置に記憶させる。
【００８９】
本例では、第３の無線通信方式用サーバ装置２５は、第１の無線通信方式用サーバ装置１３と同様に、端末識別子と基地局識別子とからなる端末状態情報を複数含むテーブルを記憶している。
【００９０】
ゲートウェイシステム３１は、回線交換方式にて伝送されるデータと、パケット交換方式にて伝送されるデータと、を相互に変換可能に構成されている。
【００９１】
具体的には、ゲートウェイシステム３１は、回線交換システム１１から回線交換方式にて伝送されるデータを受信した場合、そのデータをパケット交換方式にて伝送されるデータに変換し、変換後のデータをパケット交換システム２１へ送信する。一方、ゲートウェイシステム３１は、パケット交換システム２１からパケット交換方式にて伝送されるデータを受信した場合、そのデータを回線交換方式にて伝送されるデータに変換し、変換後のデータを回線交換システム１１へ送信する。
【００９２】
これにより、第１の無線通信方式を用いて通信を行う端末装置と、第２の無線通信方式又は第３の無線通信方式を用いて通信を行う端末装置と、が通信を行うことができる。
【００９３】
回線交換システム１１は、基地局装置１２ａ，１２ｂ，…を介して端末装置４０から通信開始要求（例えば、発呼信号）を受け付けた場合、受け付けた通信開始要求に基づいて特定される着信先の装置（例えば、端末装置）と端末装置４０との間で授受されるデータを、その基地局装置１２ａ，１２ｂ，…を介して中継する。
【００９４】
ここで、通信開始要求は、端末装置４０が着信先の装置との通信の開始を要求する旨を表す情報である。これにより、端末装置４０と着信先の装置とは通信を行う。
【００９５】
一方、回線交換システム１１は、端末装置４０を着信先の装置として特定する通信開始要求（例えば、発呼信号）を発信元の装置から受け付けた場合、回線交換システム１１の記憶装置に記憶されている第１の運用優先度情報と、第１の無線通信方式用サーバ装置１３、第２の無線通信方式用サーバ装置２３及び第３の無線通信方式用サーバ装置２５のそれぞれの記憶装置に記憶されている端末状態情報と、に基づいて、無線通信方式を選択する。ここで、通信開始要求は、発信元の装置が端末装置４０との通信の開始を要求する旨を表す情報である。
【００９６】
具体的には、回線交換システム１１は、端末状態情報にて端末装置４０を識別するための端末識別子と「圏外」以外の基地局識別子とが対応付けられている無線通信方式（即ち、端末装置４０と通信可能な無線通信方式）のうちの、第１の運用優先度情報によって最も高い第１の優先度と対応付けられた無線通信方式を選択する。
【００９７】
そして、回線交換システム１１は、選択した無線通信方式を用いる基地局装置であって、端末状態情報にて端末装置４０を識別するための端末識別子と対応付けられた基地局識別子により識別される基地局装置を介して、通信開始要求（例えば、着呼信号）を端末装置４０へ送信する。ここで、通信開始要求は、発信元の装置が端末装置４０との通信の開始を要求する旨を表す情報である。その後、回線交換システム１１は、上記基地局装置を介して、発信元の装置と端末装置４０との間で授受されるデータを中継する。
【００９８】
例えば、第１の無線通信方式が選択された場合、回線交換システム１１は、基地局装置１２ａ，１２ｂ，…を介して、発信元の装置と端末装置４０との間で授受されるデータを中継する。また、第２の無線通信方式が選択された場合、回線交換システム１１は、ゲートウェイシステム３１、パケット交換システム２１、及び、基地局装置２２ａ，…を介して、発信元の装置と端末装置４０との間で授受されるデータを中継する。同様に、第３の無線通信方式が選択された場合、回線交換システム１１は、ゲートウェイシステム３１、パケット交換システム２１、及び、基地局装置２４ａ，…を介して、発信元の装置と端末装置４０との間で授受されるデータを中継する。
【００９９】
これにより、端末装置４０と基地局装置とが選択された無線通信方式を用いて通信を行う。その結果、端末装置４０と発信元の装置とは通信を行う。
【０１００】
また、パケット交換システム２１は、回線交換システム１１と同様に、基地局装置２２ａ，２４ａ，…を介して端末装置４０から通信開始要求（例えば、発呼信号）を受け付けた場合、受け付けた通信開始要求に基づいて特定される着信先の装置（例えば、端末装置）と端末装置４０との間で授受されるデータを、その基地局装置２２ａ，２４ａ，…を介して中継する。
【０１０１】
ここで、通信開始要求は、端末装置４０が着信先の装置との通信の開始を要求する旨を表す情報である。これにより、端末装置４０と着信先の装置とは通信を行う。
【０１０２】
一方、パケット交換システム２１は、端末装置４０を着信先の装置として特定する通信開始要求（例えば、発呼信号）を受け付けた場合、回線交換システム１１と同様に無線通信方式を選択し、選択した無線通信方式を用いる基地局装置を介して、通信開始要求（例えば、着呼信号）を端末装置４０へ送信する。ここで、通信開始要求は、発信元の装置が端末装置４０との通信の開始を要求する旨を表す情報である。その後、パケット交換システム２１は、上記基地局装置を介して、発信元の装置と端末装置４０との間で授受されるデータを中継する。
【０１０３】
例えば、第１の無線通信方式が選択された場合、パケット交換システム２１は、ゲートウェイシステム３１、回線交換システム１１、及び、基地局装置１２ａ，１２ｂ，…を介して、発信元の装置と端末装置４０との間で授受されるデータを中継する。また、第２の無線通信方式が選択された場合、パケット交換システム２１は、基地局装置２２ａ，…を介して、発信元の装置と端末装置４０との間で授受されるデータを中継する。同様に、第３の無線通信方式が選択された場合、パケット交換システム２１は、基地局装置２４ａ，…を介して、発信元の装置と端末装置４０との間で授受されるデータを中継する。
【０１０４】
これにより、端末装置４０と基地局装置とが選択された無線通信方式を用いて通信を行う。その結果、端末装置４０と発信元の装置とは通信を行う。
【０１０５】
なお、回線交換システム１１、基地局装置１２ａ，１２ｂ，…、第１の無線通信方式用サーバ装置１３、パケット交換システム２１、基地局装置２２ａ，…、第２の無線通信方式用サーバ装置２３、基地局装置２４ａ，…、第３の無線通信方式用サーバ装置２５、及び、ゲートウェイシステム３１は、網側通信システムを構成している。網側通信システムは、他事業者回線交換システム１４及び他事業者パケット交換システム２６とともに通信網を構成している。
【０１０６】
また、基地局装置１２ａ，１２ｂ，２２ａ，２４ａ，…は、複数の無線通信方式のそれぞれに対して、その無線通信方式を用いて端末装置４０と網側通信システムとが通信可能であるか否かを確認するための通信確認信号を送信する通信確認信号送信手段を構成している。
【０１０７】
更に、回線交換システム１１、基地局装置１２ａ，１２ｂ，…、第１の無線通信方式用サーバ装置１３、パケット交換システム２１、基地局装置２２ａ，…、第２の無線通信方式用サーバ装置２３、基地局装置２４ａ，…、及び、第３の無線通信方式用サーバ装置２５は、ある無線通信方式に対して送信した通信確認信号に応答する応答信号を端末装置から受信するとともに、その端末装置との通信の開始を要求する通信開始要求を当該端末装置へ送信する場合、その無線通信方式を用いて当該通信開始要求を送信する網側通信開始要求送信手段を構成している。
【０１０８】
端末装置４０は、網側通信システムと、複数の無線通信方式（本例では、第１の無線通信方式、第２の無線通信方式及び第３の無線通信方式）のうちの任意の１つを用いて通信可能に構成されている。また、端末装置４０は、回線交換方式を用いたデータの通信、及び、パケット交換方式を用いたデータの通信、の両方を実行可能に構成されている。
【０１０９】
端末装置４０は、制御部４１と、バッテリ４２と、バッテリ残量監視部（バッテリ残量取得手段）４２ａと、データ入出力制御部４３と、回線交換通信制御部４４と、パケット交換通信制御部４５と、を備える。
【０１１０】
制御部４１は、図示しない中央処理装置（ＣＰＵ）、及び、記憶装置（メモリ）を備える。制御部４１は、無線通信方式を識別するための通信方式識別子と、第１の運用優先度（第１の優先度）と、第２の運用優先度（第２の優先度）と、を対応付けた情報を記憶装置に記憶させている。
【０１１１】
本例では、制御部４１は、通信方式識別子と第１の運用優先度とからなる第１の運用優先度情報を複数含む第１のテーブル（図２を参照）と、通信方式識別子と第２の運用優先度とからなる第２の運用優先度情報を複数含む第２のテーブル（図６を参照）と、を記憶している。
【０１１２】
第１のテーブルは、回線交換システム１１及びパケット交換システム２１の記憶装置に記憶されているテーブルと同一のテーブルである。
【０１１３】
また、図３及び図６に示したように、第２のテーブルにおいて、第２の運用優先度は、消費電力量が少なくなるほど高くなるように設定されている。なお、第２の運用優先度も、第１の運用優先度と同様に、優先順位を表す整数であり、値が小さくなるほど優先度が高くなることを表す。
【０１１４】
即ち、この記憶装置は、複数の通信方式のそれぞれと、第１の優先度と、消費電力量が少なくなるほど高くなるように設定された第２の優先度と、を対応付けた情報を記憶する情報記憶手段を構成している。
【０１１５】
制御部４１は、記憶装置に記憶されているプログラムをＣＰＵが実行することにより、後述する機能を実現するように構成されている。
【０１１６】
バッテリ４２は、電力を蓄積している。バッテリ４２は、端末装置４０を作動させるために、蓄積されている電力を端末装置４０に供給する。
【０１１７】
バッテリ残量監視部４２ａは、所定の監視周期が経過する毎に、バッテリ４２に蓄積されている電力量を表すバッテリ残量を取得する。バッテリ残量監視部４２ａは、取得されたバッテリ残量が、予め設定された第１の閾値以下である場合、制御部４１へ警告情報を出力する。
【０１１８】
データ入出力制御部４３には、マイク４３ａと、スピーカ４３ｂと、ディスプレイ４３ｃと、キーボード４３ｄと、が接続されている。
【０１１９】
データ入出力制御部４３は、マイク４３ａ及びキーボード４３ｄを介して入力されたデータを、制御部４１の指示に応じて、回線交換通信制御部４４又はパケット交換通信制御部４５へ出力する。また、データ入出力制御部４３は、回線交換通信制御部４４及びパケット交換通信制御部４５を介して入力されたデータを、制御部４１の指示に応じて、スピーカ４３ｂ又はディスプレイ４３ｃを介して出力する。
【０１２０】
回線交換通信制御部４４には、第１の無線通信部４４ａが接続されている。回線交換通信制御部４４は、回線交換方式を用いた通信を制御する。
【０１２１】
具体的には、回線交換通信制御部４４は、データ入出力制御部４３から受け付けたデータを、回線交換方式に応じたデータに変換し、変換後のデータを第１の無線通信部４４ａへ出力する。また、回線交換通信制御部４４は、第１の無線通信部４４ａから受け付けたデータを、データ入出力制御部４３が処理可能なデータに変換し、変換後のデータをデータ入出力制御部４３へ出力する。
【０１２２】
第１の無線通信部４４ａは、無線通信を行うためのアンテナを備える。第１の無線通信部４４ａは、回線交換通信制御部４４から受け付けたデータを第１の無線通信方式に応じたデータに変換し、変換後のデータを基地局装置１２ａ，１２ｂ，…へアンテナを介して送信する。
【０１２３】
また、第１の無線通信部４４ａは、基地局装置１２ａ，１２ｂ，…からアンテナを介して受信したデータを、回線交換方式に応じたデータに変換し、変換後のデータを回線交換通信制御部４４へ出力する。
【０１２４】
パケット交換通信制御部４５には、第２の無線通信部４５ａ及び第３の無線通信部４５ｂが接続されている。パケット交換通信制御部４５は、パケット交換方式を用いた通信を制御する。
【０１２５】
具体的には、パケット交換通信制御部４５は、データ入出力制御部４３から受け付けたデータを、パケット交換方式に応じたデータに変換し、変換後のデータを第２の無線通信部４５ａ又は第３の無線通信部４５ｂへ出力する。また、パケット交換通信制御部４５は、第２の無線通信部４５ａ又は第３の無線通信部４５ｂから受け付けたデータを、データ入出力制御部４３が処理可能なデータに変換し、変換後のデータをデータ入出力制御部４３へ出力する。
【０１２６】
第２の無線通信部４５ａは、無線通信を行うためのアンテナを備える。第２の無線通信部４５ａは、パケット交換通信制御部４５から受け付けたデータを第２の無線通信方式に応じたデータに変換し、変換後のデータを基地局装置２２ａ，…へアンテナを介して送信する。
【０１２７】
また、第２の無線通信部４５ａは、基地局装置２２ａ，…からアンテナを介して受信したデータを、パケット交換方式に応じたデータに変換し、変換後のデータをパケット交換通信制御部４５へ出力する。
【０１２８】
第３の無線通信部４５ｂは、無線通信を行うためのアンテナを備える。第３の無線通信部４５ｂは、パケット交換通信制御部４５から受け付けたデータを第３の無線通信方式に応じたデータに変換し、変換後のデータを基地局装置２４ａ，…へアンテナを介して送信する。
【０１２９】
また、第３の無線通信部４５ｂは、基地局装置２４ａ，…からアンテナを介して受信したデータを、パケット交換方式に応じたデータに変換し、変換後のデータをパケット交換通信制御部４５へ出力する。
【０１３０】
制御部４１は、基地局装置１２ａ，１２ｂ，…により送信された通信確認信号が第１の無線通信部４４ａにより受信された場合、その通信確認信号に応答する応答信号を、その基地局装置１２ａ，１２ｂ，…へ送信する旨を指示する応答指示を回線交換通信制御部４４へ出力する。そして、第１の無線通信部４４ａは、応答指示に応じて応答信号を送信する。
【０１３１】
同様に、制御部４１は、基地局装置２２ａ，…により送信された通信確認信号が第２の無線通信部４５ａにより受信された場合、その通信確認信号に応答する応答信号を、その基地局装置２２ａ，…へ送信する旨を指示する応答指示をパケット交換通信制御部４５へ出力する。そして、第２の無線通信部４５ａは、応答指示に応じて応答信号を送信する。
【０１３２】
同様に、制御部４１は、基地局装置２４ａ，…により送信された通信確認信号が第３の無線通信部４５ｂにより受信された場合、その通信確認信号に応答する応答信号を、その基地局装置２４ａ，…へ送信する旨を指示する応答指示をパケット交換通信制御部４５へ出力する。そして、第３の無線通信部４５ｂは、応答指示に応じて応答信号を送信する。
【０１３３】
即ち、制御部４１、回線交換通信制御部４４、第１の無線通信部４４ａ、パケット交換通信制御部４５、第２の無線通信部４５ａ、及び、第３の無線通信部４５ｂは、通信確認信号を受信するとともに、当該受信した通信確認信号に応答する応答信号を網側通信システムへ送信する応答信号送信手段を構成している。
【０１３４】
また、制御部４１は、ユーザにより入力された発信指示に応じて、通信開始要求（着信先の装置との通信を開始する旨を要求する情報）を網側通信システムへ送信する。このとき、制御部４１は、現時点よりも上記監視周期だけ前の時点以降において（監視期間内に）、バッテリ残量監視部４２ａから警告情報を受け付けたか否かを判定する。
【０１３５】
制御部４１は、監視期間内に警告情報を受け付けなかったと判定した場合、第１のテーブルに基づいて無線通信方式を選択する。具体的には、制御部４１は、応答信号を送信した（即ち、基地局装置と通信可能な）無線通信方式のうちの、記憶されている第１の運用優先度情報によって最も高い第１の運用優先度と対応付けられた無線通信方式（第１の選択通信方式）を選択する。
【０１３６】
一方、制御部４１は、監視期間内に警告情報を受け付けたと判定した場合、第２のテーブルに基づいて無線通信方式を選択する。具体的には、制御部４１は、応答信号を送信した（即ち、基地局装置と通信可能な）無線通信方式のうちの、記憶されている第２の運用優先度情報によって最も高い第２の運用優先度と対応付けられた無線通信方式（第２の選択通信方式）を選択する。
【０１３７】
このような構成により、例えば、複数の無線通信方式のいずれを用いても端末装置４０と基地局装置とが通信可能である場合において、制御部４１は、バッテリ残量が第１の閾値よりも多いときに第３の無線通信方式を選択し、一方、バッテリ残量が第１の閾値よりも少ないときに第１の無線通信方式を選択する。
【０１３８】
即ち、制御部４１は、取得されたバッテリ残量が第１の閾値よりも多い場合、複数の通信方式のうちの１つを第１の選択通信方式として選択し、一方、当該取得されたバッテリ残量が当該第１の閾値よりも少ない場合、消費電力量が当該第１の選択通信方式よりも少ない通信方式を複数の通信方式の中から第２の選択通信方式として選択する通信方式選択手段を構成している、と言うことができる。
【０１３９】
そして、制御部４１は、選択した無線通信方式に応じた無線通信部（第１の無線通信部４４ａ、第２の無線通信部４５ａ、又は、第３の無線通信部４５ｂ）を介して（即ち、選択した無線通信方式を用いて）通信開始要求を網側通信システムへ送信する。これにより、端末装置４０と基地局装置とが選択された無線通信方式を用いて通信を行う。その結果、端末装置４０と着信先の装置とは通信を行う。
【０１４０】
即ち、制御部４１は、選択された通信方式を用いて網側通信システムと通信を行う通信実行手段を構成している。
【０１４１】
また、制御部４１は、監視期間内に警告情報を受け付けたと判定した場合において、受信された通信確認信号が上記選択された無線通信方式以外の無線通信方式に対して送信された信号であるとき、応答指示の出力を禁止する。
即ち、制御部４１は、バッテリ残量が第１の閾値よりも少ない場合において、受信された通信確認信号が、選択された通信方式以外の通信方式に対して送信された信号であるとき、応答信号の送信を禁止する応答信号送信禁止手段を構成している。
【０１４２】
これにより、例えば、第１の無線通信方式が選択された場合、第２の無線通信方式用サーバ装置２３及び第３の無線通信方式用サーバ装置２５の記憶装置に記憶されている端末状態情報にて、端末装置４０を識別するための端末識別子と「圏外」を表す基地局識別子とが対応付けられる。
【０１４３】
この結果、網側通信システムが端末装置４０との通信の開始を要求する通信開始要求を端末装置４０へ送信する場合、網側通信システムは、選択された無線通信方式を用いて当該通信開始要求を送信する。
【０１４４】
また、制御部４１は、監視期間内に警告情報を受け付けたと判定した場合において、ユーザにより入力された情報であって上記選択された無線通信方式以外の無線通信方式を用いる旨を指示する情報を受け付けた場合、バッテリ残量が不足している旨を表すバッテリ残量不足通知をディスプレイ４３ｃ又はスピーカ４３ｂを介して出力させる。これによれば、バッテリ残量が不足していることをユーザに認識させることができる。
【０１４５】
即ち、制御部４１は、バッテリ残量が第１の閾値よりも少ない場合において、端末装置４０のユーザにより入力された情報であって、選択された通信方式以外の通信方式を用いる旨を指示する情報を受け付けた場合、バッテリ残量が不足している旨を当該ユーザに報知する報知手段を構成している。
【０１４６】
（作動）
次に、上述した通信システム１の作動について具体的に述べる。先ず、バッテリ残量が第１の閾値よりも多い場合から説明する。いま、いずれの無線通信方式を用いても、端末装置４０と網側通信システムとが通信可能である場合を想定して説明する。
【０１４７】
端末装置４０のバッテリ残量監視部４２ａは、所定の監視周期が経過する毎に、バッテリ４２に蓄積されている電力量を表すバッテリ残量を取得する（バッテリ残量取得工程）。そして、バッテリ残量監視部４２ａは、取得されたバッテリ残量が第１の閾値よりも少ない場合、警告情報を制御部４１へ出力する。
【０１４８】
端末装置４０の制御部４１は、図７にフローチャートにより示した応答信号送信プログラムを、端末装置４０の起動時に実行するようになっている。
【０１４９】
具体的に述べると、制御部４１は、応答信号送信プログラムの処理を開始すると、ステップ７０５にて、通信確認信号を受信するまで待機する。
【０１５０】
一方、網側通信システム（基地局装置１２ａ，１２ｂ，２２ａ，２４ａ，…）は、所定のタイミングにて、複数の無線通信方式のそれぞれに対して、通信確認信号を送信する（通信確認信号送信工程）。
これにより、制御部４１は、通信確認信号を受信すると、「Ｙｅｓ」と判定してステップ７１０へ進み、バッテリ残量が第１の閾値よりも少ない（即ち、監視期間内にバッテリ残量監視部４２ａから警告情報を受け付けた）か否かを判定する。
【０１５１】
上記仮定に従えば、制御部４１は、「Ｎｏ」と判定してステップ７１５へ進んで、上記通信確認信号を送信してきた基地局装置へ応答信号を送信するための応答指示を出力する。これにより、端末装置４０は応答信号を送信する（応答信号送信工程）。
【０１５２】
即ち、端末装置４０は、上記通信確認信号がいずれの無線通信方式を用いて送信された信号であっても、応答信号を送信する。
【０１５３】
これにより、第１の無線通信方式用サーバ装置１３、第２の無線通信方式用サーバ装置２３、及び、第３の無線通信方式用サーバ装置２５のそれぞれは、端末装置４０を識別するための端末識別子と「圏外」以外の基地局識別子とを対応付けて記憶する。
【０１５４】
そして、制御部４１は、ステップ７０５へ戻り、ステップ７０５〜ステップ７１５の処理を繰り返し実行する。
【０１５５】
一方、制御部４１は、図８にフローチャートにより示した通信開始要求送信プログラムを、端末装置４０の起動時に実行するようになっている。
【０１５６】
具体的に述べると、制御部４１は、通信開始要求送信プログラムの処理を開始すると、ステップ８０５にて、発信指示を受け付けるまで待機する。
【０１５７】
そして、制御部４１は、発信指示を受け付けると、「Ｙｅｓ」と判定してステップ８１０へ進み、バッテリ残量が第１の閾値よりも少ないか否かを判定する。
【０１５８】
上記仮定に従えば、制御部４１は、「Ｎｏ」と判定してステップ８１５へ進んで、第１のテーブル（第１の運用優先度情報）に基づいて無線通信方式を選択する。即ち、制御部４１は、網側通信システムと通信可能な無線通信方式のうちの、最も高い第１の運用優先度と対応付けられた無線通信方式（第１の選択通信方式）を選択する。なお、ステップ８１０及びステップ８１５の処理は、通信方式選択工程に対応している。
【０１５９】
上記仮定に従えば、制御部４１は、第３の無線通信方式を選択する。そして、制御部４１は、ステップ８２０へ進み、選択した第３の無線通信方式を用いて通信開始要求を送信するための送信指示を出力する。これにより、パケット交換通信制御部４５及び第３の無線通信部４５ｂは、通信開始要求を送信する。その後、端末装置４０が第３の無線通信方式を用いて網側通信システムと通信を行うことにより、端末装置４０と着信先の装置とは通信を行う。なお、ステップ８２０の処理は、端末側通信開始要求送信工程、及び、通信実行工程の一部に対応している。
【０１６０】
そして、制御部４１は、ステップ８０５へ戻り、ステップ８０５〜ステップ８２０の処理を繰り返し実行する。
【０１６１】
また、網側通信システムが端末装置４０を着信先の装置として特定する通信開始要求を発信元の装置から受け付けた場合について説明する。
この場合、網側通信システムは、端末状態情報にて端末装置４０を識別するための端末識別子と「圏外」以外の基地局識別子とが対応付けられている無線通信方式のうちの、第１の運用優先度情報によって最も高い第１の優先度と対応付けられた無線通信方式として、第３の無線通信方式を選択する。
【０１６２】
従って、網側通信システムは、選択した第３の無線通信方式を用いて通信開始要求（例えば、着呼信号）を端末装置４０へ送信する（網側通信開始要求送信工程）。その後、端末装置４０が第３の無線通信方式を用いて網側通信システムと通信を行うことにより、端末装置４０と発信元の装置とは通信を行う。
【０１６３】
次に、バッテリ残量が第１の閾値よりも少ない場合について説明する。
この場合、制御部４１がステップ７１０に進んだとき、制御部４１は、「Ｙｅｓ」と判定してステップ７２０へ進み、上記受信した通信確認信号が送信される際に用いられた無線通信方式が、網側通信システムと通信可能な通信方式のうちの、最も高い第２の運用優先度と対応付けられた無線通信方式であるか否かを判定する。
【０１６４】
この場合、最も高い第２の運用優先度と対応付けられた無線通信方式は、第１の無線通信方式である。
【０１６５】
従って、上記通信確認信号が第１の無線通信方式を用いて送信された信号である場合、制御部４１は、ステップ７２０にて「Ｙｅｓ」と判定して、ステップ７１５へ進み、応答指示を出力する。これにより、端末装置４０は応答信号を送信する（応答信号送信工程）。そして、制御部４１は、ステップ７０５へ戻る。
【０１６６】
一方、上記通信確認信号が第２の無線通信方式又は第３の無線通信方式を用いて送信された信号である場合、制御部４１は、ステップ７２０にて「Ｎｏ」と判定して、応答指示を出力することなくステップ７０５へ戻る。即ち、この場合、端末装置４０は応答信号を送信しない。なお、ステップ７２０の処理は、応答信号送信禁止工程に対応している。
【０１６７】
従って、第１の無線通信方式用サーバ装置１３は、端末装置４０を識別するための端末識別子と「圏外」以外の基地局識別子とを対応付けて記憶し、第２の無線通信方式用サーバ装置２３及び第３の無線通信方式用サーバ装置２５のそれぞれは、端末装置４０を識別するための端末識別子と「圏外」を表す基地局識別子とを対応付けて記憶する。
【０１６８】
また、制御部４１がステップ８１０に進んだとき、制御部４１は、「Ｙｅｓ」と判定してステップ８２５へ進み、第２のテーブル（第２の運用優先度情報）に基づいて無線通信方式を選択する。即ち、制御部４１は、網側通信システムと通信可能な無線通信方式のうちの、最も高い第２の運用優先度と対応付けられた無線通信方式（第２の選択通信方式）を選択する。なお、ステップ８１０及びステップ８２５の処理は、通信方式選択工程に対応している。
【０１６９】
上記仮定に従えば、制御部４１は、第１の無線通信方式を選択する。そして、制御部４１は、ステップ８２０へ進み、選択した第１の無線通信方式を用いて通信開始要求を送信するための送信指示を出力する。これにより、回線交換通信制御部４４及び第１の無線通信部４４ａは、通信開始要求を送信する。その後、端末装置４０が第１の無線通信方式を用いて網側通信システムと通信を行うことにより、端末装置４０と着信先の装置とは通信を行う。なお、ステップ８２０の処理は、端末側通信開始要求送信工程、及び、通信実行工程の一部に対応している。
【０１７０】
そして、制御部４１は、ステップ８０５へ戻り、ステップ８０５〜ステップ８２０の処理を繰り返し実行する。
【０１７１】
また、網側通信システムが端末装置４０を着信先の装置として特定する通信開始要求を発信元の装置から受け付けた場合について説明する。
この場合、網側通信システムは、端末状態情報にて端末装置４０を識別するための端末識別子と「圏外」以外の基地局識別子とが対応付けられている無線通信方式のうちの、第１の運用優先度情報によって最も高い第１の優先度と対応付けられた無線通信方式として、第１の無線通信方式を選択する。
【０１７２】
従って、網側通信システムは、選択した第１の無線通信方式を用いて通信開始要求（例えば、着呼信号）を端末装置４０へ送信する（網側通信開始要求送信工程）。その後、端末装置４０が第１の無線通信方式を用いて網側通信システムと通信を行うことにより、端末装置４０と発信元の装置とは通信を行う。
【０１７３】
以上、説明したように、本発明による通信システムの第１実施形態によれば、バッテリ残量が十分に多い場合に、通信品質及び通信速度がより高い通信方式（上記例においては、第３の無線通信方式）を用いるとともに、バッテリ残量が比較的少ない場合に、消費電力量が比較的少ない通信方式（上記例においては、第１の無線通信方式）を用いることができる。これにより、バッテリ残量が比較的少ない場合に、消費電力量を低減することができるので、バッテリ残量が過度に少なくなる可能性を低減することができる。この結果、端末装置４０が作動不能となる可能性を低減することができる。
【０１７４】
このように、上記構成によれば、端末装置４０が作動不能となる可能性を低減しながら、通信品質及び通信速度を高めることができる。
【０１７５】
また、上記第１実施形態によれば、端末装置４０と網側通信システムとが通信可能な通信方式の中から、通信に用いる通信方式を選択しているので、端末装置４０と網側通信システムとが確実に通信を行うことができる。
【０１７６】
更に、上記第１実施形態によれば、端末装置４０が通信開始要求を網側通信システムへ送信する場合において、選択された通信方式以外の通信方式を用いて通信が行われることを防止することができる。この結果、選択された通信方式以外の通信方式が用いられる場合よりも、端末装置４０が作動不能となる可能性を低減することができる。
【０１７７】
加えて、上記第１実施形態によれば、網側通信システムが通信開始要求を端末装置４０へ送信する場合においても、選択された通信方式以外の通信方式を用いて通信が行われることを防止することができる。この結果、選択された通信方式以外の通信方式が用いられる場合よりも、端末装置４０が作動不能となる可能性を低減することができる。
【０１７８】
更に、上記第１実施形態によれば、バッテリ残量が第１の閾値よりも少ない場合、端末装置４０は、選択された通信方式以外の通信方式に対して送信された通信確認信号に応答する応答信号を送信しない。従って、端末装置４０がこの応答信号を送信するために電力が消費されることを回避することができる。この結果、端末装置４０が作動不能となる可能性をより一層低減することができる。
【０１７９】
なお、上記第１実施形態の変形例において、網側通信システムは、ある通信方式に対して送信した通信確認信号に応答する応答信号を受信した場合、その通信方式以外の通信方式に対する通信確認信号の送信を禁止するように構成されていてもよい。これによれば、無駄に通信確認信号が送信されることを防止することができる。
【０１８０】
＜第２実施形態＞
次に、本発明の第２実施形態に係る通信システムについて説明する。第２実施形態に係る通信システムは、上記第１実施形態に係る通信システムに対して、端末装置４０と通信可能な基地局装置がフェムトセルを構成している場合には、バッテリ残量が第１の閾値よりも少ない第２の閾値よりも多いとき、第１の運用優先度情報に基づいて無線通信方式を選択するように構成されている点において相違している。従って、以下、かかる相違点を中心として説明する。
【０１８１】
第２実施形態に係る第１の無線通信方式用サーバ装置１３、第２の無線通信方式用サーバ装置２３及び第３の無線通信方式用サーバ装置２５のそれぞれは、図９に示したように、端末識別子と基地局識別子と種別情報とからなる端末状態情報を複数含むテーブルを記憶している。
【０１８２】
ここで、種別情報は、基地局装置の種別を表す情報である。種別情報が「フェムト」であることは、基地局装置がフェムトセルを構成していることを表す。また、種別情報が「ノーマル」であることは、基地局装置がフェムトセルを構成していない（フェムトセルよりも広い範囲にて通信可能な通常の基地局装置である）ことを表す。なお、基地局識別子が「圏外」を表す情報である場合、対応する種別情報は、空値を表す情報となる。
【０１８３】
第１の無線通信方式用サーバ装置１３は、基地局装置１２ａ，１２ｂ，…が端末装置４０により送信された応答信号を受信した場合、その端末装置４０を識別するための端末識別子（例えば、電話番号を表す情報）と、その応答信号を受信した基地局装置１２ａ，１２ｂ，…を識別するための基地局識別子（例えば、基地局の所在地を含む情報）と、その応答信号を受信した基地局装置１２ａ，１２ｂ，…の種別を表す種別情報と、を対応付けた情報を記憶装置に記憶させる。
【０１８４】
更に、第１の無線通信方式用サーバ装置１３は、応答信号を送信してきた端末装置４０へ種別情報を送信する。なお、第１の無線通信方式用サーバ装置１３は、端末装置４０から種別情報の送信を要求する情報を受信した場合に、種別情報を送信するように構成されていてもよい。
【０１８５】
第２の無線通信方式用サーバ装置２３及び第３の無線通信方式用サーバ装置２５も、第１の無線通信方式用サーバ装置１３と同様に、端末識別子と基地局識別子と種別情報とを対応付けた情報を記憶装置に記憶させるとともに、応答信号を送信してきた端末装置４０へ種別情報を送信する。
【０１８６】
端末装置４０は、受信した種別情報が「フェムト」である場合、バッテリ残量が第１の閾値よりも少ない第２の閾値よりも多いとき、第１のテーブル（即ち、第１の運用優先度情報）に基づいて無線通信方式（第１の選択通信方式）を選択し、一方、バッテリ残量が第２の閾値よりも少ないとき、第２のテーブル（即ち、第２の運用優先度情報）に基づいて無線通信方式（第２の選択通信方式）を選択する。
【０１８７】
ところで、端末装置４０と通信可能な基地局装置がフェムトセルを構成している場合、端末装置４０が屋内に位置している可能性が比較的高い。従って、この場合、バッテリ４２に容易に充電できる可能性が比較的高い。即ち、端末装置４０が作動不能となる可能性が相対的に低い。
【０１８８】
そこで、上記のように通信システム１を構成することにより、端末装置４０が作動不能となる可能性を十分に低くしながら、通信品質及び通信速度をより一層高めることができる。
【０１８９】
＜第３実施形態＞
次に、本発明の第３実施形態に係る通信システムについて説明する。第３実施形態に係る通信システムは、上記第１実施形態に係る通信システムに対して、網側通信システムが通信方式を選択するように構成されている点において相違している。従って、以下、かかる相違点を中心として説明する。
【０１９０】
この第３実施形態に係る端末装置４０の制御部４１は、バッテリ残量監視部４２ａにより取得されたバッテリ残量を網側通信システムへ送信する（バッテリ残量送信手段）。
【０１９１】
一方、網側通信システムは、上記第１のテーブル及び上記第２のテーブルを記憶装置に予め記憶させている。
【０１９２】
更に、網側通信システムは、端末装置４０からバッテリ残量を受信する。網側通信システムは、受信したバッテリ残量が第１の閾値よりも多い場合、上記第１のテーブルに基づいて無線通信方式を選択する。具体的には、網側通信システムは、端末装置４０と通信可能な無線通信方式のうちの、最も高い第１の運用優先度と対応付けられた無線通信方式を選択する。
【０１９３】
一方、受信したバッテリ残量が第１の閾値よりも少ない場合、上記第２のテーブルに基づいて無線通信方式を選択する。具体的には、網側通信システムは、端末装置４０と通信可能な無線通信方式のうちの、最も高い第２の運用優先度と対応付けられた無線通信方式を選択する。
【０１９４】
そして、網側通信システムは、端末装置４０との通信の開始を要求する通信開始要求を端末装置４０へ送信する場合、選択された無線通信方式を用いて当該通信開始要求を送信する。
【０１９５】
この第３実施形態に係る通信システム１によれば、網側通信システムが通信開始要求を端末装置４０へ送信する場合において、選択された無線通信方式以外の無線通信方式を用いて通信が行われることを防止することができる。この結果、選択された無線通信方式以外の無線通信方式が用いられる場合よりも、端末装置４０が作動不能となる可能性を低減することができる。
【０１９６】
また、上記第３実施形態の変形例に係る通信システムにおいて、網側通信システムは、受信されたバッテリ残量が第１の閾値よりも少ない場合、選択された無線通信方式以外の無線通信方式に対する通信確認信号の送信を禁止する（通信確認信号送信禁止手段）。
【０１９７】
加えて、端末装置４０は、ある無線通信方式に対して送信された通信確認信号に応答する応答信号を網側通信システムへ送信した場合において、当該網側通信システムとの通信の開始を要求する通信開始要求を当該網側通信システムへ送信するとき、当該無線通信方式を用いて当該通信開始要求を送信する。
【０１９８】
この変形例に係る通信システム１によれば、端末装置４０が通信開始要求を網側通信システムへ送信する場合においても、選択された無線通信方式以外の無線通信方式を用いて通信が行われることを防止することができる。この結果、選択された無線通信方式以外の無線通信方式が用いられる場合よりも、端末装置４０が作動不能となる可能性を低減することができる。
【０１９９】
更に、この通信システム１によれば、バッテリ残量が第１の閾値よりも少ない場合、網側通信システムは、選択された無線通信方式以外の無線通信方式に対して通信確認信号を送信しない。従って、端末装置４０が、選択された無線通信方式以外の無線通信方式に対して送信された通信確認信号に応答する応答信号を送信するために電力が消費されることを回避することができる。この結果、端末装置４０が作動不能となる可能性をより一層低減することができる。
【０２００】
なお、本発明は上記各実施形態に限定されることはなく、本発明の範囲内において種々の変形例を採用することができる。例えば、上記各実施形態の変形例において、第１の運用優先度は、端末装置と網側通信システムとの通信品質が高くなるほど高くなるように設定されていてもよい。また、第１の運用優先度は、端末装置と網側通信システムとの通信速度が大きくなるほど高くなるように設定されていてもよい。
【０２０１】
また、第１の運用優先度は、端末装置と網側通信システムとの間で通信される音声の音質（例えば、帯域幅）が高くなるほど高くなるように設定されていてもよい。また、第１の運用優先度は、網側通信システムが収容可能な端末装置の数が多くなるほど高くなるように設定されていてもよい。
【０２０２】
また、上記各実施形態の変形例において、通信システムは、バッテリ残量が第１の閾値よりも少なく且つ第３の閾値よりも多い場合に、最も低い第２の運用優先度と対応付けられた無線通信方式以外の無線通信方式を用い、バッテリ残量が第１の閾値よりも少なく且つ第３の閾値よりも少ない場合に、最も高い第２の運用優先度と対応付けられた無線通信方式のみを用いるように構成されていてもよい。
【０２０３】
また、図１０に示したように、上記各実施形態の変形例に係る通信システム１００は、端末装置と通信網の一部を構成する網側通信システムとを含む。
更に、端末装置と網側通信システムとが複数の通信方式のうちの任意の１つを用いて通信可能に構成される。
【０２０４】
通信システム１００の機能は、バッテリ残量取得部（バッテリ残量取得手段）１０１と、通信方式選択部（通信方式選択手段）１０２と、通信実行部（通信実行手段）１０３と、を含む。
【０２０５】
バッテリ残量取得部１０１は、端末装置を作動させるための電力を供給するバッテリに蓄積されている電力量を表すバッテリ残量を取得する。
【０２０６】
通信方式選択部１０２は、バッテリ残量取得部１０１により取得されたバッテリ残量が第１の閾値よりも多い場合、前記複数の通信方式のうちの１つを第１の選択通信方式として選択する。一方、通信方式選択部１０２は、当該取得されたバッテリ残量が当該第１の閾値よりも少ない場合、端末装置と網側通信システムとが通信を行うために当該端末装置が消費する電力量である消費電力量が当該第１の選択通信方式よりも少ない通信方式を複数の通信方式の中から第２の選択通信方式として選択する。
【０２０７】
通信実行部１０３は、端末装置と網側通信システムとが通信方式選択部１０２により選択された通信方式を用いて通信を行う。
【０２０８】
この変形例によっても、バッテリ残量が十分に多い場合に、例えば、通信品質又は通信速度がより高い通信方式を用いるとともに、バッテリ残量が比較的少ない場合に、消費電力量が比較的少ない通信方式を用いることができる。ここで、通信品質は、通信速度を所定値以上に維持できる確率が高くなるほど高くなる。これにより、バッテリ残量が比較的少ない場合に、消費電力量を低減することができるので、バッテリ残量が過度に少なくなる可能性を低減することができる。この結果、端末装置が作動不能となる可能性を低減することができる。
【０２０９】
このように、上記構成によれば、端末装置が作動不能となる可能性を低減しながら、通信品質又は通信速度等を高めることができる。
【０２１０】
また、上記実施形態の他の変形例として、上述した実施形態及び変形例の任意の組み合わせが採用されてもよい。
【産業上の利用可能性】
【０２１１】
本発明は、携帯電話装置と基地局装置とを含む携帯電話システム等に適用可能である。
【符号の説明】
【０２１２】
１      通信システム
１１    回線交換システム
１２ａ，１２ｂ，…  基地局装置
１３    第１の無線通信方式用サーバ装置
１４    他事業者回線交換システム
２１    パケット交換システム
２２ａ，…  基地局装置
２３    第２の無線通信方式用サーバ装置
２４ａ，…  基地局装置
２５    第３の無線通信方式用サーバ装置
２６    他事業者パケット交換システム
３１    ゲートウェイシステム
４０    端末装置
４１    制御部
４２    バッテリ
４２ａ  バッテリ残量監視部
４３    データ入出力制御部
４３ａ  マイク
４３ｂ  スピーカ
４３ｃ  ディスプレイ
４３ｄ  キーボード
４４    回線交換通信制御部
４４ａ  第１の無線通信部
４５    パケット交換通信制御部
４５ａ  第２の無線通信部
４５ｂ  第３の無線通信部
１００  通信システム
１０１  バッテリ残量取得部
１０２  通信方式選択部
１０３  通信実行部
【図１】
2010166355.tif 000003
【図２】
2010166355.tif 000004
【図３】
2010166355.tif 000005
【図４】
2010166355.tif 000006
【図５】
2010166355.tif 000007
【図６】
2010166355.tif 000008
【図７】
2010166355.tif 000009
【図８】
2010166355.tif 000010
【図９】
2010166355.tif 000011
【図１０】
2010166355.tif 000012